(57)【要約】【目的】不規則な動きで転がって意外な動作をする、表面にキャラクター形態を描き出した鉄球などの金属製球体を封入したカプセル形状の玩具とその附属品及び専用射出装置を提供する。【構成】平滑面上を滑らかに転がるように表面を滑面状化したプラスチック樹脂などによる中空状のカプセル形状部材４内に、重りとして作用することでカプセル形状部材４を直立状態に維持するに足る重量を有する金属製球体２を封入し、カプセル形状部材４表面に上下の位置関係を利用したキャラクター形態３をカプセル形状部材４の直立状態を利用して描出しているカプセル形状のキャラクター玩具１。【選択図】　　　　　　　　図１
2004000453.tif 000002
【特許請求の範囲】
【請求項１】
平滑面上を滑らかに転がるように表面を滑面状化したプラスチック樹脂などによる中空状のカプセル形状部材内に、重りとして作用することでカプセル形状部材を直立状態に維持するに足る重量を有する金属製球体を封入し、カプセル形状部材表面に上下の位置関係を利用したキャラクター形態をカプセル形状部材の直立状態を利用して描出していることを特徴とする金属製球体を封入したカプセル形状のキャラクター玩具。
【請求項２】
描出されたキャラクター形態に合わせて所定箇所に装着されるべき手足や耳鼻口その他の形状とし装着用突部を形成した附属品を着脱するための開孔部が１個又は複数個設けられていることを特徴とする請求項１に記載の金属製球体を封入したカプセル形状のキャラクター玩具。
【請求項３】
中空状カプセル形状部材の内側にリブ部を形成して封入した金属製球体が中空状カプセル形状部材内部を直線往復運動的にしか移動できないように規制してあることを特徴とする請求項１または請求項２に記載の金属製球体を封入したカプセル形状のキャラクター玩具。
【請求項４】
金属製球体の外径が中空状カプセル形状部材の短内径の２分の１以下であることを特徴とした請求項１〜請求項３の何れか１つに記載の金属製球体を封入したカプセル形状のキャラクター玩具。
【請求項５】
金属製球体を封入したカプセル形状のキャラクター玩具の直立状態が安定して維持されるように所定の載置部分を凹面状に形成し又は載置部分裏面に、金属製球体として封入された鉄球を引き寄せるに足る磁力を帯びた磁石を取付けたことを特徴とする請求項〜請求項４の何れか１つに記載の金属製球体を封入したカプセル形状のキャラクター玩具の附属品。
【請求項６】
カプセル形状のキャラクター玩具を直立した状態で保持する可動式固定部材を備え、前面側をカプセル形状のキャラクター玩具が転がり出ることができるように開放し、後面側に保持されたカプセル形状のキャラクター玩具上部分を手指などで弾いて転がすための切欠部が形成された専用収納ケースとなっていることを特徴とする請求項１〜請求項４の何れか１つに記載の金属製球体を封入したカプセル形状のキャラクター玩具の附属品。
【請求項７】
中空状カプセル形状部材表面に一つ又は複数の溝穴部を形成し、該溝穴部に引っ掛けられる保持突部を少なくとも一端側に設けてカプセル形状部材を縦長方向で保持するに適した形状とされた可撓性部材による保持射出機構、保持されたカプセル形状部材を押出し射出する押出し機構、該押出し機構を操作する押出し操作部を含むものとして構成されていることを特徴とする請求項１〜請求項４の何れか１つに記載の金属製球体を封入したカプセル形状のキャラクター玩具の専用射出機。
【発明の詳細な説明】
【０００１】
【発明の属する技術分野】
本発明は、不規則な動きで転がって意外な動作をする、表面にキャラクター形態を描き出した鉄球などの金属製球体を封入したカプセル形状の玩具とその附属品及び専用射出装置に関するものである。
【０００２】
【従来の技術】
繭玉（カプセル）形状部材に着色して中に重りを入れ、溝状の傾斜面を転がして遊ぶ玩具は古くから存在し良く知られている。また、落花生の殻形状の部材内に重りを入れて直立するようにし、その表面にキャラクターの顔などを描いた玩具も存在していた。
【０００３】
また、中空状球体を適切に保持した状態から充分な回転をかけて射出し該回転によって球体の転がり軌道に変化を与えて楽しむ玩具が出願人によって提案されている。
【０００４】
【発明が解決しようとする課題】
しかし、上記したような従来の技術では、古くから知られた溝状傾斜面を転がして遊ぶ繭玉形状玩具では一定の溝状傾斜面を転がすだけでその他の遊び方ができるわけではなく、落花生の殻形状を利用した玩具の場合はその形状からして滑らかに転がるようなものではなく直立した状態でゆらゆら揺れる様子を楽しむことが主とされるものであった。
【０００５】
また、出願人による中空状球体射出玩具では球体であることから滑らかな転がりは実現するが、その軌道変化は射出装置によって与える回転方向に依存するだけで不規則な思いがけない転がり方をするものではない。
【０００６】
さらに、繭玉形状玩具の表面にその直立した状態を利用してキャラクター表情などを描いたり、その専用の射出装置と組合わせるような提案はなされておらず、さらに、該キャラクターに対する附属品を用意して遊び方のヴァリエーションを広げるような提案も従来はなされていなかった。
【０００７】
また、内蔵した重りによって直立しながら不規則にゆらゆらと揺れるようにされたカプセル形状玩具をその不規則な動作が観察し得るように工夫された附属品の如きも提案されていない。
【０００８】
一方、繭玉形状玩具やカプセル形状玩具の大きさは、内蔵される重り玉の大きさや重さに規制され、実用的な玩具としてはせいぜい短径２．０ｃｍ、長径３．０ｃｍ程度のものであった。
【０００９】
【課題を解決するための手段】
本発明は、上記したような従来技術における課題を解消することについて、実験と検討を繰り返し行い創案されたものであって、鉄球を封入したカプセル形状のキャラクター玩具とその附属品および専用射出機を提案するものであって、具体的には以下のとおりである。
【００１０】
（１）　平滑面上を滑らかに転がるように表面を滑面状化したプラスチック樹脂などによる中空状のカプセル形状部材内に、重りとして作用することでカプセル形状部材を直立状態に維持するに足る重量を有する金属製球体を封入し、カプセル形状部材表面に上下の位置関係を利用したキャラクター形態をカプセル形状部材の直立状態を利用して描出していることを特徴とする金属製球体を封入したカプセル形状のキャラクター玩具。
【００１１】
（２）　描出されたキャラクター形態に合わせて所定箇所に装着されるべき手足や耳鼻口その他の形状とし装着用突部を形成した附属品を着脱するための開孔部が１個又は複数個設けられていることを特徴とする前記（１）項に記載の金属製球体を封入したカプセル形状のキャラクター玩具。
【００１２】
（３）　　中空状カプセル形状部材の内側にリブ部を形成して封入した金属製球体が中空状カプセル形状部材内部を直線往復運動的にしか移動できないように規制してあることを特徴とする前記（１）項または（２）項に記載の金属製球体を封入したカプセル形状のキャラクター玩具。
【００１３】
（４）　　金属製球体の外径が中空状カプセル形状部材の短内径の２分の１以下であることを特徴とした前記（１）項〜（３）項の何れか１つに記載の金属製球体を封入したカプセル形状のキャラクター玩具。
【００１４】
（５）　　金属製球体を封入したカプセル形状のキャラクター玩具の直立状態が安定して維持されるように所定の載置部分を凹面状に形成し又は載置部分裏面に金属製球体として封入された鉄球を引き寄せるに足る磁力を帯びた磁石を取付けたことを特徴とする前記（１）項〜（４）項の何れか１つに記載の金属製球体を封入したカプセル形状のキャラクター玩具の附属品。
【００１５】
（６）　　カプセル形状のキャラクター玩具を直立した状態で保持する可動式固定部材を備え、前面側をカプセル形状のキャラクター玩具が転がり出ることができるように開放し、後面側に保持されたカプセル形状のキャラクター玩具上部分を手指などで弾いて転がすための切欠部が形成された専用収納ケースとなっていることを特徴とする前記（１）項〜（４）項の何れか１つに記載の金属製球体を封入したカプセル形状のキャラクター玩具の附属品。
【００１６】
（７）　中空状カプセル形状部材表面に一つ又は複数の溝穴部を形成し、該溝穴部に引っ掛けられる保持突部を少なくとも一端側に設けてカプセル形状部材を縦長方向で保持するに適した形状とされた可撓性部材による保持射出機構、保持されたカプセル形状部材を押出し射出する押出し機構、該押出し機構を操作する押出し操作部を含むものとして構成されていることを特徴とする前記（１）項〜（４）項の何れか１つに記載の金属製球体を封入したカプセル形状のキャラクター玩具の専用射出機。
【００１７】
【作用】
平滑面上を滑らかに転がるように表面を滑面状化したプラスチック樹脂などによる中空状のカプセル形状部材内に、重りとして作用することでカプセル形状部材を直立状態に維持するに足る重量を有する金属製球体を封入し、カプセル形状部材表面に上下の位置関係を利用したキャラクター形態をカプセル形状部材の直立状態を利用して描出していることで、カプセル形状部材として滑らかな転がり状態を示すと共に封入された金属製球体の動きによって転がり方や静止状態のカプセル形状部材に不規則な変化を与えることが可能となり、描き出されたキャラクター形態の動きとして観察できるものとされる。
【００１８】
描出されたキャラクター形態に合わせて所定箇所に装着されるべき手足や耳鼻口その他の形状とし装着用突部を形成した附属品を着脱するための開孔部が１個又は複数個設けられていることで、手足その他の附属品を取付けた状態のキャラクター玩具とすることができ、その状態として不規則で意外な運動をするものとなし得る。
【００１９】
中空状カプセル形状部材の内側にリブ部を形成して封入した金属製球体が中空状カプセル形状部材内部を直線往復運動的にしか移動できないように規制してあることで、カプセル形状玩具は必ず正立または倒立状態で直立することになる。
【００２０】
金属製球体の外径が中空状カプセル形状部材の短内径の２分の１以下であることで、封入する金属製球体の大きさに対して、従来よりも遥かに大きなカプセル形状部材本体を採用することが可能となる。すなわち、カプセル形状部材に対する金属製球体の大きさを相対的に小さいものとしても構わなくなるので、特にカプセル形状部材の短径方向におけるデザイン性の自由度が高まるもので、極端に言えばカプセル形状が真球形状であっても所定の直立状態を適宜に実現させることが可能となる。
【００２１】
金属製球体を封入したカプセル形状のキャラクター玩具の直立状態が安定して維持されるように所定の載置部分を凹面状に形成し又は載置部分裏面に金属製球体として封入された鉄球を引き寄せるに足る磁力を帯びた磁石を取付けたことを金属製球体を封入したカプセル形状のキャラクター玩具の附属品を利用することで、キャラクター玩具の直立状態が容易に形成維持されるようになり、しかも封入した金属製球体の微妙な動きによるカプセル形状部材のゆらゆらとした不規則な動きは制限を受けず持続するものとなし得る。
【００２２】
カプセル形状のキャラクター玩具を直立した状態で保持する可動式固定部材を備え、前面側をカプセル形状のキャラクター玩具が転がり出ることができるように開放し、後面側に保持されたカプセル形状のキャラクター玩具上部分を手指などで弾いて転がすための切欠部が形成された専用収納ケースとされた金属製球体を封入したカプセル形状のキャラクター玩具の附属品を利用することで、カプセル形状のキャラクター玩具を安定保持して展示する収容ケースとなし得ると共に、可動式固定部材による固定保持を開放した状態ではカプセル形状のキャラクター玩具を真っ直ぐに転がして遊ぶための簡易な補助部材として利用することも可能となる。
【００２３】
中空状カプセル形状部材表面に一つ又は複数の溝穴部を形成し、該溝穴部に引っ掛けられる保持突部を少なくとも一端側に設けてカプセル形状部材を縦長方向で保持するに適した形状とされた可撓性部材による保持射出機構、保持されたカプセル形状部材を押出し射出する押出し機構、該押出し機構を操作する押出し操作部を含むものとして構成されている金属製球体を封入したカプセル形状のキャラクター玩具の専用射出機を利用することで、適切な押出しや回転を与えてカプセル形状のキャラクター玩具を撃ち出しすることが可能となり、的などを狙った射的遊具として使用することが可能なものとなる。
【００２４】
【発明の実施の形態】
上記した本発明の具体的な実施態様の若干例について、添付図面に示すところにしたがって説明すると以下の如くである。
【００２５】
図１は、本発明によるカプセル形状キャラクター玩具１の１例を示したものである。このカプセル形状キャラクター玩具１は、プラスチック樹脂製などで中空状に作られたものであり、内部にこのカプセル形状キャラクター玩具１を直立状態にさせるに足る重量を有する金属製球体２を重りとして封入してある。
【００２６】
カプセル形状キャラクター玩具１の表面には図示のようにキャラクター表情３が描かれているが、上記した金属製球体２が重りとして働くことで直立状態が維持され易いものとなっていることから、この直立状態における上半分部分には顔などの表情を描き、下半分部分には胴体などを描くようにしていて、適切な直立状態を実現してやることで描き出されたキャラクター３が直立状態を保ったままで観察され、外部からの微妙な振動を受けて不規則にゆらゆらと揺れ動くようになっている。
【００２７】
カプセル形状部材４は、机の上や床面などの平滑面上を滑らかに転がることができるように表面を滑面化処理したプラスチック樹脂などによって形成されており、重りとして封入する金属製球体２は適宜な直立状態やその状態でのゆらゆらとした運動、滑らかな転がりや意外性ある変化などを適切に実現するためにプラスチック樹脂製などのカプセル形状部材４に対して相応しい重量を有するものであれば良く、その比重などから鉄球２ａなどが好ましいものである。
【００２８】
図２は、カプセル形状部材４の表面に描出されたキャラクター形態３に対して着脱可能なものとして付加されるべきキャラクターの手足や耳鼻口その他の形状とされた附属品５を装着されるべき開孔部６の形成箇所について説明した図面である。
【００２９】
このような開孔部６は、取付けられるべき附属品５に合わせて適宜な所定箇所に１個または複数個形成されるものである。つまり、手や足の形状とされた附属品５であれば、キャラクター形態３を描出したカプセル形状部材４のそれぞれに相応しい箇所に開孔部６を形成し、必要に応じてキャラクター形状アクセサリーの如くしても使用できるようにするものである。
【００３０】
図３は、カプセル形状部材４の内側にリブ部２６を直線的に設けてやることで、封入した金属製球体２が実質的にカプセル形状部材４内を直線往復運動的にしか移動できないように規制される場合の１例を透視図的に示したものである。
すなわち、カプセル形状部材４の内側の長さ方向に沿って直線的に複数本配置されたリブ部２６によって、金属製球体２が移動できる空間の幅は図示のように金属製球体２の直径と同程度のものとされ、その結果、金属製球体２はカプセル形状部材４内部を直線往復運動的にしか移動できないように規制されるものである。
【００３１】
このようなリブ部２６の働きによって金属製球体２が常に真下か真上に最終的に位置するように規制してやらないと、図４にあるようにカプセル形状部材４は斜め倒しの状態での静止を一瞬経た後に最終的には横倒し状態で安定してしまう可能性が相当に高いものとなってしまい、せっかくキャラクター形態３を描出しても直立状態になり難いので視覚的楽しみに欠けたものとなってしまう。
【００３２】
上記のようにリブ部２６によって金属製球体２の動きを規制することができれば、金属製球体２の大きさはカプセル形状部材４に対してそれほどの大きさでなくても構わない。つまり、カプセル形状部材４がきれいに直立状態になるために必要な重さがあれば、図５にあるように金属製球体２の直径がカプセル形状部材４の短内径２７の２分の１以下であっても十分である。
【００３３】
すなわち、十分に軽量なプラスチック等の素材でカプセル形状部材４が形成されていれば、鉄球２ａの如きを採用することで十分に本発明は実現可能である。また、リブ部２６は強度を上げるためにも機能し、カプセル形状キャラクター玩具１の全体の軽量化を図ることも可能となる（金属製球体２の相対的重量が少ないことになるので）。
【００３４】
したがって、この種の玩具であっても直径５ｃｍ以上のようなものがそれほどの重量でなくても実現可能であり、従来にはないサイズで多様なものが実現されることになる。すなわち、カプセル形状部材４の短径方向において金属製球体２の直径の２倍以上の長さを持たせることが可能となり、前記したように真球形状のカプセル形状部材４であっても好ましい直立状態を実現することができ、キャラクター形態３のデザイン性に広がりを持たせることができる。また、このようなものでありながら金属製球体２のサイズを小さいものとできるので、カプセル形状キャラクター玩具１全体の重さが予想されるよりも遥かに軽量化できることになる。
【００３５】
図６は、図２に示されるような開孔部６に対して手足や耳形状、キーホルダー形成用リング７と一体化した帽子形状の附属品５の装着状況を示す図面である。各附属品５には開孔部６に対して押圧挿入して保持させるための装着用突部７が形成されており、これによって着脱が自在に行えるものとされている。また、図示のように帽子形状の附属品５などにおいて、キーホルダー機能を果たさしめるための鎖状リング７と一体化したものを採用すれば、該帽子形状の附属品５を装着することで全体がキーホルダーとして使用することができるカプセル形状キャラクター玩具１を実現することが可能となる。
また、この場合でもキャラクター玩具１を適宜に直立状態として適切な所望場所に載置などすることができるが、微妙な外力の伝達を受けてゆらゆらと揺れ動く本発明キャラクター玩具１の特性は維持されたままである。
【００３６】
図７は、本発明のカプセル形状キャラクター玩具１に対する別の附属品について説明するものであり、収納ケース８として使用できると共にカプセル形状キャラクター玩具１の直立状態を維持したままで微妙な外力によってゆらゆらと動く状態を観察する載置台９としても使用する場合について示したものである。
【００３７】
すなわち、図示のように円筒形状の収納ケース８内にカプセル形状キャラクター玩具は適切に収容されるものであるが、その蓋部材１０はその頂面であるキャラクター玩具１の載置部分９ａを凹面状に形成して載置台９としているものである。つまり、凹面状に形成された載置部分９ａの中心部分に本発明のカプセル形状キャラクター玩具１を直立させて載せると、該直立状態が適切に維持されたままでしかも外力による微妙な振動がカプセル形状キャラクター玩具１に伝えられるとゆらゆらと不規則な振動を行うものであって、あたかも何等かの動力によってキャラクター玩具１が揺動しているような印象を見る者に与えるディスプレイとなるものである。
【００３８】
図８は、図７に示したようなキャラクター玩具１の収納ケース兼ディスプレイ材に関して別の態様を表現している。つまり、この場合の載置台９ｂの載置部分９ｃは平坦なものであるが、この中心部分の裏面側に磁石１１が取付けられたものであって、この磁石１１の磁力は表面側にまで及ぶ強さをもっている。また、この場合にカプセル形状キャラクター玩具１に封入されるべき金属製球体２は磁力によって引き付けられるように鉄球２ａが採用されるものである。
【００３９】
すなわち、磁石１１の磁力によって載置台９ｂの中心部分に直立状態として置かれたキャラクター玩具１は内部の鉄球２ａが引き寄せられることでその場に固定され直立状態も維持されるようになるものである。このようにしてキャラクター玩具１を載置する場合でも図７の場合と同様に外力による微妙な振動伝達によって直立状態とされたキャラクター玩具１はゆらゆらと不規則な振動を行うものとなっている。
【００４０】
また、収納ケース８ａとして用いる場合には図示のように透明プラスチックの如きで形成されたケース本体１２を被せるように構成すればよく、このようにすれば収納したままの状態であってもキャラクター玩具１のゆらゆらとした揺動を外部から観察できるディスプレイとして使用することができる。もちろん、この場合のキャラクター玩具１は磁石１１によって載置台９ｂに略固定されているので、ケース本体を取外してディスプレイしても構わないものである。
【００４１】
図９は、本発明によるカプセル形状キャラクター玩具１による遊び方の１例をそのために使用する附属品としての遊具台１３と共に示したものである。
すなわち、カンペンケースなどとして兼用できる遊具台１３に平面図に示すような円形土俵形状１４の如きを描き、その仕切線１５裏面に図８の場合と同様に磁石１１を取付けて仕切線１５部分において２個のキャラクター玩具１、１が直立状態で略固定的に載置できるようになっているもので、この状態で遊具台１３に適当な振動を与えてやるとキャラクター玩具１、１がゆらゆらと揺れ動いてお互いにぶつかり合い、どちらか一方が早く倒れてしまうなどして相撲的な遊び方の決着がつくようになっているものである。
【００４２】
この場合、図６に示したように手足などの附属品５、５を装着した状態で行えば、お互いの手足部分などが絡まり合って投げ技のような決まり手が実現するようにもなし得る。また、このような仕切線１５部分におけるキャラクター玩具１の直立した載置関係は図７に示すように該仕切線１５部分を凹面状に形成することでも実現することが可能である。
【００４３】
図１０は、カプセル形状キャラクター玩具１を正確に真っ直ぐ転がすことができるための転がし補助具１６としての附属品の１例を示している。
すなわち、この転がし補助具１６はキャラクター玩具１を直立した状態で保持する収容ケース形状を有しており、また、収容したキャラクター玩具の全体形状が観察でき更にそこから転がり出させることができるように前面側を開放状態としている。
【００４４】
また、図示のような可動式の固定部材１７を備えたものとされ、カプセル形状キャラクター玩具１を直立状態で収容した場合にこの可動式固定部材１７をキャラクター玩具１の頂部に向かって立てて行くと挟み込み押圧して該キャラクター玩具１を直立状態で固定保持することが可能で、この状態でディスプレイすることができる。また、外力を受けることで微妙にゆらゆらと揺れ動きながらディスプレイさせるのであれば、可動式固定部材１７を折り畳んだ状態で収容ケースを兼ねた転がし補助具１６を図示のように逆さまにしてその上にカプセル形状キャラクター玩具１を載置すればよい。この場合には載置状態を確実にするために前記したように凹部を形成したり磁石を利用しても構わない。
【００４５】
さらに転がし補助具１６を用いてカプセル形状キャラクター玩具１を適切に転がして遊ぶ場合には、これも図示のように直立収納した状態から可動式固定部材１７を外し、指などによってキャラクター玩具１の上方部分を弾き出し易くするために後面側に形成された切欠部１８を利用して適宜な弾き出しによって転がし出すものである。つまり、本発明のカプセル形状キャラクター玩具１はその形状および封入された金属製球体２の働きで安定して真っ直ぐに転がすことは容易ではない。しかし、この転がし補助具１６を用いれば直立状態の真後ろから指などによって弾き出し転がすことが可能となるので、簡便に真っ直ぐな転がし操作を行うことができるものである。したがって、本発明のカプセル形状キャラクター玩具を使って射的の如き遊びを行う場合にはこの転がし補助具１６が有効に利用できる。
【００４６】
図１１は、本発明のカプセル形状キャラクター玩具１の専用射出機１９についてその外観と使用方法を説明する図面である。すなわち、キャラクター玩具１はその上端部分のみを突出させた状態で保持部２０に収容保持されるものであり、操作ボタン２１を押圧操作するとキャラクター玩具１の下端部が押されて保持部２０から転がり出るように射出されるものである。
【００４７】
専用射出機１９の外観はさまざまに選択し得るものであるが、図示のようにカプセル形状キャラクター玩具１を収容した状態で略卵形状となるようにすれば、全体の外観をユーモア感覚溢れるものとして射出して転がし遊ぶ場合にも娯楽性豊かな製品となし得るものである。
【００４８】
専用射出機１９によるカプセル形状キャラクター玩具１の収容保持関係および操作ボタン２１による下端部への押出し射出関係は幾つかの方法で実現可能であるが、その代表的な構造を図１２に示す。まず、この場合のカプセル形状キャラクター玩具１の表面所定箇所には、安定した保持関係を維持させるために挟み込み保持射出機構２２の一端側先端に設けた保持突部２３を受け入れる溝穴部２４が形成されている必要がある。
【００４９】
保持射出機構２２はカプセル形状キャラクター玩具１を挟み込んで保持するもので、上記したようにその一端部先端に保持突部２３が設けられておりこれと前記溝穴部２４とが係合することで確実な保持関係が実現するものである。
保持されたキャラクター玩具１に対して操作部である操作ボタン２１を押圧操作して押出し機構２５を突出せしめると保持されたキャラクター玩具１の下端部が押されて保持突部２３と溝穴部２４との係合関係が解除され押出されたカプセル形状キャラクター玩具１は転がし射出されるものである。
【００５０】
このとき、保持射出機構２２は適宜な可撓性を有するプラスチック素材などで形成されていることから、その撓み力がカプセル形状キャラクター玩具１に対して伝達されて押出しされることになり、適度な推進力をもって弾き出し射出が行われ、適切な回転を付与した転がりが実現されるものである。
【００５１】
このような専用射出機１９を利用しても射的遊戯的な弾き出し射出操作が可能であり、適切な附属品によって連続発射等を可能とすることもでき、本発明のカプセル形状キャラクター玩具１を利用した遊び方に広がりを与えることができるものである。
【００５２】
図１２に示した構造の場合にはカプセル形状キャラクター玩具１の撃ち出しに際して保持突部２３を支点として適当な回転力が付与されることになる。しかし、本発明のカプセル形状キャラクター玩具１の場合には必ずしも回転力を与える必要はなく、例えば、保持突部２３を挟み込み保持射出機構２２の両端先端部に設け、カプセル形状キャラクター玩具１の所定箇所にも２個以上の溝穴部２４を形成し、操作ボタン２１の押圧操作によって挟み込み保持関係が解消されると保持されたカプセル形状キャラクター玩具１の下端部に位置されたスプリングによって押出し射出されるという構成を採ることも可能である。
【００５３】
【発明の効果】
以上説明したような本発明によるならば、金属球体を封入することで直立状態を維持しながら微細な外力によってゆらゆらと揺れ動きするカプセル形状キャラクター玩具を実現すると共に、そのさまざまな附属品や専用の射出装置などを併せて提案することで該カプセル形状キャラクター玩具を用いた多様な遊び方を実現化するものであり、使用するものの趣向に応じた応用範囲の広い製品と成しうるものであるから、市場において新たな需要を喚起する新製品であり工業上その価値が高いものであると理解される。
【図面の簡単な説明】
【図１】本発明のカプセル形状キャラクター玩具の基本的形態を示す説明図である。
【図２】附属品を装着する開孔部を設けた本発明のカプセル形状キャラクター玩具の１例を示す図面である。
【図３】リブ部を設けた本発明のカプセル形状部材について、その構造を透視図的に示した説明図である。
【図４】リブ部を設けない場合のカプセル形状部材の不充分な直立状態について、その若干例を示した説明図面である。
【図５】金属製球体の直径をカプセル形状部材の短内径の２分の１以下とした場合について、その若干例を示した説明図面である。
【図６】本発明のカプセル形状キャラクター玩具に対して手足形状等の附属品の取付関係の１例を示した説明図面である。
【図７】収納ケース兼載置台となる本発明のカプセル形状キャラクター玩具の附属品についてその１例を示したものである。
【図８】磁石を利用した収納ケース兼ディスプレイ材となる本発明のカプセル形状キャラクター玩具の附属品に関してその１例を示した図面である。
【図９】本発明によるカプセル形状キャラクター玩具１による遊び方の１例をそのために使用する附属品としての遊具台と共に示したものである。
【図１０】本発明によるカプセル形状キャラクター玩具を真っ直ぐ転がすための転がし補助具としての附属品の１例を示した図面である。
【図１１】本発明のカプセル形状キャラクター玩具の専用射出機について、その外観と使用方法を説明する図面である。
【図１２】上記専用射出輝においてその射出関係を実現する構造の１例を示した説明図面である。
【符号の説明】
１　　カプセル形状キャラクター玩具
２　金属製球体
２ａ　　鉄球
３　キャラクター形態
４　カプセル形状部材
５　手足形状等の附属品
６　開孔部
７　キーホルダー形成用鎖状リング
８　収納ケース
８ａ　　収納ケース
９　載置台
９ａ　　載置部分
９ｂ　　載置台
９ｃ　　載置部分
１０　　蓋部材
１１　　磁石
１２　　ケース本体
１３　　遊具台
１４　　土俵状形状
１５　　仕切線
１６　　転がし補助具
１７　　可動式固定部材
１８　　切欠部
１９　　専用射出機
２０　　保持部
２１　　操作ボタン
２２　　保持射出機構
２３　　保持突部
２４　　溝穴部
２５　　押出し機構
２６　リブ部
２７　短内径
【図１】
2004000453.tif 000003
【図２】
2004000453.tif 000004
【図３】
2004000453.tif 000005
【図４】
2004000453.tif 000006
【図５】
2004000453.tif 000007
【図６】
2004000453.tif 000008
【図７】
2004000453.tif 000009
【図８】
2004000453.tif 000010
【図９】
2004000453.tif 000011
【図１０】
2004000453.tif 000012
【図１１】
2004000453.tif 000013
【図１２】
2004000453.tif 000014